(57)【要約】【課題】第１周波数帯と第２周波数帯とを用いた通信を実現する携帯電子機器において、通信に利用するアンテナのサイズを小さく抑えたい。【解決手段】  携帯電子機器は、一端と他端とにそれぞれ給電点と解放端とを有する長尺状のアンテナであって、一部と他の一部とが近接するように折り返されることで、両者の間に所定の容量が存在し、この所定の容量の存在によって、第１周波数帯の周波数のｎ（ｎは２以上の整数）倍の周波数よりも低い第２周波数帯に対してｎ次高調波として共振する関係となるアンテナを備える。そして、このアンテナを利用して、第１周波数帯と第２周波数帯とを用いた通信を行う。【選択図】図３
2015162740.tif 000002
【特許請求の範囲】
【請求項１】
アンテナと、当該アンテナを利用して外部機器と通信する第１及び第２通信部とを有する携帯電子機器であって、
前記アンテナは、一端と他端とにそれぞれ給電点と解放端とを有する長尺状で、第１周波数帯を基本波の共振域として有し、一方、長手方向途中の一部と他の一部とが近接するように折り返されて、当該一部と当該他の一部との間に所定の容量が存在し、当該定の容量の存在によって、前記第１周波数帯の周波数のｎ（ｎは２以上の整数）倍の周波数よりも低い第２周波数帯に対してｎ次高調波の共振域を有し、
前記第１通信部は、前記第１周波数帯の信号を用いて前記通信を行い、
前記第２通信部は、前記第２周波数帯の信号を用いて前記通信を行う
ことを特徴とする携帯電子機器。
【請求項２】
前記一部と前記他の一部とが平行している
ことを特徴とする請求項１記載の携帯電子機器。
【請求項３】
前記一部は、第１部分と、当該第１部分に連続し、当該第１部分に直角な第２部分とからなり、
前記他の一部は、前記第１部分に平行な第３部分と、当該第３部分に連続し、前記第２部分に平行な第４部分とからなる
ことを特徴とする請求項２記載の携帯電子端末。
【請求項４】
前記第１周波数帯の信号は、ＣＤＭＡ（Ｃｏｄｅ  Ｄｉｖｉｓｉｏｎ  Ｍｕｌｔｉｐｌｅ  Ａｃｃｅｓｓ）通信方式に利用される８４０ＭＨｚ帯の信号であり、
前記ｎは３であり、
前記第２周波数帯の信号は、ＣＤＭＡ通信方式に利用される１９００ＭＨｚ帯の信号である
ことを特徴とする請求項１記載の携帯電子端末。
【請求項５】
一端と他端とにそれぞれ給電点と解放端とを有する長尺状で、第１周波数帯を基本波の共振域として有し、一方、長手方向途中の一部と他の一部とが近接するように折り返されて、当該一部と当該他の一部との間に所定の容量が存在し、当該定の容量の存在によって、前記第１周波数帯の周波数のｎ（ｎは２以上の整数）倍の周波数よりも低い第２周波数帯に対してｎ次高調波の共振域を有する
ことを特徴とするアンテナ。
【発明の詳細な説明】
【技術分野】
【０００１】
本発明は、複数の周波数帯の信号を用いて外部機器と通信する携帯電子機器に関する。
【背景技術】
【０００２】
従来、複数の周波数帯の信号を用いて外部機器と通信する携帯電子機器が知られている。
例えば、特許文献１には、複数の周波数帯の信号を用いて行う通信に利用されるアンテナについての技術が記載されている。
図９は、第１周波数帯の信号と第２周波数帯の信号とを用いて外部機器と通信する従来の携帯電子機器が内蔵するアンテナの一例であるアンテナ９００の形状を示す模式図である。
【０００３】
同図に示されるように、アンテナ９００は、Ｌ字型に折れ曲がった第１エレメント９１０と、第１エレメント９１０の折れ曲がり部分において第１エレメント９１０に接続する第２エレメント９２０とから構成され、第１エレメント９１０の一端に給電点９３０が設けられている。そして、アンテナ９００は、給電点９３０から第１エレメント９１０の終端までの電気長Ｌ１が、第１周波数帯の信号における波長λ１の１／４となり、給電点９３０から第２エレメント９２０の終端までの電気長Ｌ２が、第２周波数帯の信号における波長λ２の１／４となっている。このため、アンテナ９００は、第１周波数帯と、第２周波数帯との双方に対して共振する関係となる。
【０００４】
このことにより、このアンテナ９００を内蔵する携帯電子機器は、アンテナ９００を利用して、効率良く、第１周波数帯の信号と第２周波数帯の信号とを用いた外部機器との通信を行うことができる。
【先行技術文献】
【特許文献】
【０００５】
【特許文献１】特開２０００−６８７３６号公報
【発明の概要】
【発明が解決しようとする課題】
【０００６】
一般に、携帯電子機器は、その携帯性を実現するために、小型な筐体内に、アンテナを含む電子部品群を格納する必要がある。このため、携帯電子機器においては、アンテナの小型化が望まれている。
そこで、本発明は係る問題に鑑みてなされたものであり、第１周波数帯の信号と第２周波数帯の信号とを用いて外部機器と通信する携帯電子機器において、従来よりも、アンテナのサイズを小さくすることができる携帯電子機器を提供することを目的とする。
【課題を解決するための手段】
【０００７】
上記課題を解決するために本発明に係る携帯電子機器は、アンテナと、当該アンテナを利用して外部機器と通信する第１及び第２通信部とを有する携帯電子機器であって、前記アンテナは、一端と他端とにそれぞれ給電点と解放端とを有する長尺状で、第１周波数帯を基本波の共振域として有し、一方、長手方向途中の一部と他の一部とが近接するように折り返されて、当該一部と当該他の一部との間に所定の容量が存在し、当該定の容量の存在によって、前記第１周波数帯の周波数のｎ（ｎは２以上の整数）倍の周波数よりも低い第２周波数帯に対してｎ次高調波の共振域を有し、前記第１通信部は、前記第１周波数帯の信号を用いて前記通信を行い、前記第２通信部は、前記第２周波数帯の信号を用いて前記通信を行うことを特徴とする。
【発明の効果】
【０００８】
上述の構成を備える本発明に係る携帯電子機器によると、第１周波数帯と第２周波数帯との双方に対して共振する関係となる、単一エレメントによって構成されるアンテナを利用して、効率良く、第１周波数帯の信号と第２周波数帯の信号とを用いた外部機器との通信を行うことができる。このため、この携帯電子機器は、従来の第１エレメントと第２エレメントとから構成されるアンテナを利用する携帯電子端末よりも、アンテナのサイズを小さくすることができる。
【図面の簡単な説明】
【０００９】
【図１】携帯端末１００の外観を示す斜視図
【図２】主面が取り除かれた状態の筐体１１０の斜視図
【図３】アンテナ２００の正面図
【図４】アンテナ２００について測定された、ＷＳＭＷＲの周波数特性を示す図
【図５】携帯端末１００の回路構成を示すブロック図
【図６】通信用ＬＳＩ５１０の機能構成を示すブロック図
【図７】アンテナ２００と通信用ＬＳＩ５１０とが接続されている様子を示す模式図
【図８】アンテナ８００の正面図
【図９】アンテナ９００の形状を示す模式図
【発明を実施するための形態】
【００１０】
＜実施の形態＞
＜概要＞
以下、本発明に係る携帯電子機器の一実施形態として、内蔵する単一エレメントからなるアンテナを利用して、周波数帯の異なる２種類の信号を用いて外部の基地局と通信を行う携帯端末について説明する。
【００１１】
この携帯端末が内蔵するアンテナは、一端と他端との間で複数回屈曲した長尺状の金属箔によって構成され、一端の近傍に給電点が配され、一端と他端との間に、互いに近接して平行な第１領域と第２領域とを有している。
そして、第１領域と第２領域とが、互いに近接して平行であることで、第１領域と第２領域とが電気的に結合し、第１領域と第２領域との間に静電容量が生じている。この静電容量には周波数依存性があり、より周波数が高い程より静電容量の値が大きくなるという特性がある。
【００１２】
このアンテナは、第１領域と第２領域との間に周波数依存性のある静電容量が生じていることにより、基本波として共振する関係となる基本共振周波数帯の周波数のｎ（ｎは２以上の整数）倍よりも低い周波数の周波数帯に対して、ｎ次高調波として共振する関係となる。
このアンテナは、８４０ＭＨｚ帯の信号と基本波として共振する関係となり、１９００ＭＨｚ帯の信号と３次高調波として共振する関係となるように、アンテナの長さ、第１領域と第２領域との間の静電容量が調整されている。
【００１３】
そして、この携帯端末は、このアンテナを利用して、８４０ＭＨｚ帯の信号を用いて行うＣＤＭＡ（Ｃｏｄｅ  Ｄｉｖｉｓｉｏｎ  Ｍｕｌｔｉｐｌｅ  Ａｃｃｅｓｓ）通信方式による外部の基地局との通信と、１９００ＭＨｚ帯の信号を用いて行うＣＤＭＡ通信方式による外部の基地局との通信とを行う。
以下、この携帯端末の詳細について図面を参照しながら説明する。
【００１４】
＜構成＞
図１は、携帯端末１００の外観を示す斜視図である。
同図に示されるように、携帯端末１００は、筐体１１０の形状が略直方体であるいわゆるスマートフォンであって、携帯端末１００の略長方形の主表面に、タッチパネル操作面１２０と、レシーバ孔１３０と、マイク孔１４０とを備える。
【００１５】
図２は、タッチパネル操作面１２０側の面（以下、「主面」と呼ぶ。）が取り除かれた状態の筐体１１０の斜視図である。ここで、図２は、実際には直接視認できない部分の一部について、破線を用いてあたかも視認できるかのように図示している。
図２に示されるように、筐体１１０の内面のうちの、筐体１１０の主面におけるマイク孔１４０側の短辺側側面（以下、「マイク孔側側面」と呼ぶ。）の一方の隅（以下、「右隅」と呼ぶ。）に、一端と他端との間で複数回屈曲した長尺状金属箔製のアンテナ２００が接着されて配置されている。
【００１６】
図３は、アンテナ２００の正面図である。
同図に示されるように、アンテナ２００は、一端と他端との間で複数回折れ曲がっている。そして、一端の近傍に給電点３１０が配され、一端と他端との間に、互いに近接して平行な第１領域３２０と第２領域３３０とを有している。
第１領域３２０は、第１部分３２１と、第１部分３２１に連続する、第１部分３２１に直角な第２部分３２２とからなり、第２領域３３０は、第１部分３２１に平行な第３部分３２３と、第３部分３２３に連続する、第２部分３２２に平行な第４部分３２４とからなる。
【００１７】
第１領域３２０と第２領域３３０とが、互いに近接して平行となっていることで、第１領域３２０と第２領域３３０とが電気的に結合し、第１領域３２０と第２領域３３０との間に静電容量が生じている。この静電容量には周波数依存性があり、より周波数が高い程より静電容量の値が大きくなるという特性がある。
第１領域３２０と第２領域３３０との間に周波数依存性のある静電容量が生じることによって、アンテナ２００は、基本波として共振する関係となる基本共振周波数帯の周波数のｎ（ｎは２以上の整数）倍よりも低い周波数の周波数帯に対して、ｎ次高調波として共振する関係となる。
【００１８】
アンテナ２００は、８４０ＭＨｚ帯の信号と基本波として共振する関係となり、１９００ＭＨｚ帯の信号と３次高調波として共振する関係となるように、アンテナ２００の長さ、第１領域３２０と第２領域３３０との間の静電容量が調整されることで、共振周波数特性が決定される。
上記共振周波数特性の決定は、（１）アンテナの長さ、（２）第１領域３２０と第２領域３３０との間の距離、（３）第１領域３２０と第２領域３３０との平行長等の微調整を繰り返しながらアンテナ２００の共振周波数を測定することでなされ得る。
【００１９】
なお、一般に、一端の近傍に給電点が設定されているアンテナにおいては、基本波、及び奇数次高調波がその給電点において振幅の腹となることが知られている。このため、このようなアンテナにおいては、基本波、及び奇数次高調波の信号が、送受信に適していると言える。
アンテナ２００に対して上記調整がなされた結果、一例として、アンテナ２００の形状は、幅約１．５ｍｍ、長さ約７．５ｍｍの長尺状であって、平行部分の間隔は約１ｍｍ、第１部分３２１における平行長は約９ｍｍ、第２部分３２２における平行長は約３ｍｍとなっている。そして、給電点３１０の近傍に静電容量が生じるように、給電点３１０近傍に第１領域３２０が配置されている。これは、給電点３１０が振幅の腹となることによって、給電点３１０近傍に流れる電流量が比較的大きくなっており、電流量が比較的大きな部分に静電容量を生じさせることで、静電容量による共振周波数変動への影響を効果的なものとすることができるためである。
【００２０】
アンテナ２００を利用して行う通信の通信品質を良好なものとするためには、一般に、アンテナ２００を、携帯端末１００の内部に格納されている金属部品、電子部品等から、比較的遠く離れた位置に配置することが望ましいとされる。これは、アンテナ２００と、金属部品、電子部品等との間に生じてしまう電気的結合の影響を小さくするためである。そして、携帯端末１００においては、マイク孔側側面の右隅が、その位置に最適な場所となっている。このため、アンテナ２００は、図２に示されるように、マイク孔側側面の右隅に配置されている。
【００２１】
図４は、アンテナ２００について測定される、ＶＳＷＲ（Voltage Standing Wave Ratio：電圧定在波比）の周波数特性を示す図である。
同図に示されるように、アンテナ２００は、そのＶＳＷＲが、８４０ＭＨｚ帯の周波数領域において極小となり、また１９００ＭＨｚ帯の周波数領域において極小となるように調整されている。すなわち、アンテナ２００は、８４０ＭＨｚ帯に対して基本波として共振する関係となり、８４０ＭＨｚ帯の３倍の周波数帯である２５２０ＭＨｚ帯よりも周波数が低い１９００ＭＨｚ帯に対して３次高調波として共振する関係となるように調整されている。これは、一般に、アンテナの共振周波数は、アンテナの有する容量の１／２乗に反比例するものであることが知られており、アンテナ２００において、第１領域３２０と第２領域３３０との間に生じる静電容量に、より周波数が高い程より静電容量の値が大きくなるという特性があるために、（１）アンテナの長さ、（２）第１領域３２０と第２領域３３０との間の距離、（３）第１領域３２０と第２領域３３０との平行長等を調整することで、アンテナ２００を、８４０ＭＨｚ帯の信号と、８４０ＭＨｚ帯の３倍の周波数帯である２５２０ＭＨｚ帯よりも周波数が低い１９００ＭＨｚ帯の信号との双方に対して共振する関係になるよう調整されることが可能となっている。
【００２２】
このように、アンテナ２００は、８４０ＭＨｚ帯の信号と、１９００ＭＨｚ帯の信号との双方に対して共振する関係にあり、８４０ＭＨｚ帯の信号の送受信、及び１９００ＭＨｚ帯の信号の送受信を効率良く行う上で適したアンテナとなっている。
図５は、携帯端末１００の回路構成を示すブロック図である。
同図に示されるように、携帯端末１００は、アンテナ２００と、ＣＰＵ（Central Processing Unit）５００と、通信用ＬＳＩ（Large Scale Integration）５１０と、タッチパネルコントローラ５２０と、タッチパネル５３０と、レシーバ５４０と、マイク５５０と、メモリ５６０と、電池５７０とから構成される。
【００２３】
通信用ＬＳＩ５１０は、アンテナ２００とＣＰＵ５００とに接続され、ＣＰＵ５００によって制御される。そして、アンテナ２００を利用して、８４０ＭＨｚ帯のＣＤＭＡ通信規格に準拠して外部の基地局と通信する機能と、アンテナ２００を利用して、１９００ＭＨｚ帯のＣＤＭＡ通信規格に準拠して外部の基地局と通信する機能とを有する。
以下、図面を用いて、通信用ＬＳＩ５１０の有する機能について、さらに詳しく説明する。
【００２４】
図６は、通信用ＬＳＩ５１０の機能構成を示すブロック図である。
同図に示されるように、通信用ＬＳＩ５１０は、周波数帯分離部６００と、第１送受信分離部６１０と、第２送受信分離部６２０と、第１送信部６３０と、第１受信部６４０と、第２送信部６５０と、第２受信部６６０とから構成される。
周波数帯分離部６００は、アンテナ２００と、第１送受信分離部６１０と、第２送受信分離部６２０とに接続され、アンテナ２００と第１送受信分離部６１０との間の８４０ＭＨｚ帯の信号の送受信経路と、アンテナ２００と第２送受信分離部６２０との間の１９００ＭＨｚ帯の信号の送受信経路とを電気的に分離する機能を有する。一例として、フィルタ群からなるダイプレクサによって実現される。
【００２５】
第１送受信分離部６１０は、周波数帯分離部６００と、第１送信部６３０と、第１受信部６４０とに接続され、第１送信部６３０から周波数帯分離部６００への送信経路と、周波数帯分離部６００から第１受信部６４０への受信経路とを電気的に分離する機能を有する。一例として、フィルタ群からなるダイプレクサによって実現される。
第２送受信分離部６２０は、周波数帯分離部６００と、第２送信部６５０と、第２受信部６６０とに接続され、第２送信部６５０から周波数帯分離部６００への送信経路と、周波数帯分離部６００から第２受信部６６０への受信経路とを電気的に分離する機能を有する。一例として、フィルタ群からなるダイプレクサによって実現される。
【００２６】
第１送信部６３０は、第１送受信分離部６１０とＣＰＵ５００とに接続され、（１）ＣＰＵ５００から送られて来た信号を８４０ＭＨｚ帯のＣＤＭＡ通信用信号に変調する機能と、（２）変調した信号を、アンテナ２００を利用して外部の基地局に送信する機能とを有する。
第１受信部６４０は、第１送受信分離部６１０とＣＰＵ５００とに接続され、（１）アンテナ２００を利用して、外部の基地局から送信された８４０ＭＨｚ帯のＣＤＭＡ通信用信号を受信する機能と、（２）受信した信号を復調し、復調した信号をＣＰＵ５００へ送る機能とを有する。
【００２７】
第２送信部６５０は、第２送受信分離部６２０とＣＰＵ５００とに接続され、（１）ＣＰＵ５００から送られて来た信号を１９００ＭＨｚ帯のＣＤＭＡ通信用信号に変調する機能と、（２）変調した信号を、アンテナ２００を利用して外部の基地局に送信する機能とを有する。
第２受信部６６０は、第２送受信分離部６２０とＣＰＵ５００とに接続され、（１）アンテナ２００を利用して、外部の基地局から送信された１９００ＭＨｚ帯のＣＤＭＡ通信用信号を受信する機能と、（２）受信した信号を復調し、復調した信号をＣＰＵ５００へ送る機能とを有する。
【００２８】
再び図５に戻って、携帯端末１００の回路構成についての説明を続ける。
アンテナ２００は、通信用ＬＳＩ５１０に接続され、通信用ＬＳＩ５１０の行う通信に利用される。
図７は、アンテナ２００と通信用ＬＳＩ５１０とが接続される様子を示す模式図である。ここで、図７は、実際には直接視認できない部分の一部について、破線を用いてあたかも視認できるかのように図示している。
【００２９】
図７において、コンタクトピン７１０は、先端がバネとして可動する導電性部品であって、その終端は、携帯端末１００に内蔵される回路基板７００に形成された配線７２０にはんだ付けされ、その先端は、回路基板７００が筐体１１０に対して固定されている状態において、アンテナ２００の給電点３１０に接触する。
通信用ＬＳＩ５１０は、回路基板７００に装着されている。そして、配線７２０とコンタクトピン７１０とを介してアンテナ２００の給電点３１０に接続する。
【００３０】
再び図５に戻って、携帯端末１００の回路構成についての説明を続ける。
タッチパネル５３０は、タッチパネルコントローラ５２０に接続され、タッチパネルコントローラ５２０によって制御されるタッチパネルであって、（１）携帯端末１００を利用するユーザの接触操作を受け付ける機能と、（２）画像を表示する機能とを有する。
タッチパネルコントローラ５２０は、タッチパネル５３０とＣＰＵ５００とに接続され、ＣＰＵ５００によって制御され、（１）ＣＰＵ５００から送られて来る画像信号に基づく画像を、タッチパネル５３０に表示させる機能と、（２）携帯端末１００を利用するユーザが、タッチパネル５３０を用いて行う接触操作を、電気信号に変換してＣＰＵ５００に送る機能とを有する。
【００３１】
レシーバ５４０は、ＣＰＵ５００に接続され、ＣＰＵ５００によって制御され、ＣＰＵ５００から送られる電気信号を音声に変換して、変換した音声を、レシーバ孔１３０（図１参照）を通して筐体１１０外部に出力する機能を有する。
マイク５５０は、ＣＰＵ５００に接続され、マイク孔１４０（図１参照）を通して筐体１１０外部から入力される音声を電気信号に変換して、変換した電気信号をＣＰＵ５００へ送る機能を有する。
【００３２】
メモリ５６０は、ＣＰＵ５００に接続され、ＣＰＵ５００の動作を規定するプログラムと、ＣＰＵ５００が利用するデータとを記憶する。
電池５７０は、ＣＰＵ５００と、通信用ＬＳＩ５１０と、タッチパネルコントローラ５２０と、タッチパネル５３０と、レシーバ５４０と、マイク５５０と、メモリ５６０とに電力を供給する。
【００３３】
ＣＰＵ５００は、通信用ＬＳＩ５１０と、タッチパネルコントローラ５２０と、レシーバ５４０と、マイク５５０と、メモリ５６０とに接続される。そして、メモリ５６０に記憶されているプログラムを実行することで、これら接続される回路を制御して、携帯端末１００に、従来のスマートフォンが有する、スマートフォンとしての一般的な機能と同等な機能、例えば、通話機能、インターネットサイト閲覧機能、メール送受信機能、待ち受け機能等を実現させる機能を有する。
【００３４】
携帯端末１００は、上記構成を備えることにより、８４０ＭＨｚ帯のＣＤＭＡ通信方式による外部の基地局との通信と、１９００ＭＨｚ帯のＣＤＭＡ通信方式による外部の基地局との通信とを、アンテナ２００を利用して行う、いわゆるスマートフォンとして機能する。
＜考察＞
従来の携帯端末において、周波数帯の異なる２種類の信号を用いた通信を実現するためには、（１）それぞれの周波数帯の信号と共振する関係となり得る２つのアンテナを内蔵して利用する、又は（２）それぞれの周波数帯の信号と共振する関係となり得る２つのエレメントを有する１つのアンテナを内蔵して利用する必要がある。
【００３５】
これに対して、上述した通り、実施の形態に係る携帯端末１００は、単一のエレメントによって構成されるアンテナ２００を利用して、周波数帯の異なる２種類の信号を用いた通信を実現する。
このため、実施の形態に係る携帯端末１００は、従来の携帯端末に比べて、アンテナのサイズを小さくすることができる。
【００３６】
そして、このことにより、実施の形態に係る携帯端末１００を、従来の携帯端末よりも小型なものとすることが可能となる。
＜補足＞
以上、本発明に係る携帯電子機器の実施形態について、実施の形態において、携帯端末１００を例示して説明したが、以下のように変形することも可能であり、本発明は、実施の形態において例示した携帯端末１００に限られないことはもちろんである。
【００３７】
（１）実施の形態において、携帯端末１００は、アンテナ２００を利用して、８４０ＭＨｚ帯のＣＤＭＡ通信規格に準拠した通信と、１９００ＭＨｚ帯のＣＤＭＡ通信規格に準拠した通信とを行う構成の例であるとして説明した。しかしながら、アンテナ２００を利用して、アンテナ２００と共振する関係にある周波数帯の信号を用いて通信する構成であれば、必ずしも、ＣＤＭＡ通信規格に準拠した通信である必要はない。一例として、８４０ＭＨｚ帯のＬＴＥ（Long Term Evolution）通信規格に準拠した通信と、１９００ＭＨｚ帯のＧＳＭ（登録商標）（Global System for Mobile communications）通信規格に準拠した通信とを行う構成の例が考えられる。この例の場合には、通信用ＬＳＩ５１０が、アンテナ２００を利用して、８４０ＭＨｚ帯のＬＴＥ通信規格に準拠した通信を行う機能と、アンテナ２００を利用して、１９００ＭＨｚ帯のＧＳＭ（登録商標）通信規格に準拠した通信を行う機能とを有することとなる。
【００３８】
（２）実施の形態において、携帯端末１００は、アンテナ２００が、８４０ＭＨｚ帯の信号と１９００ＭＨｚ帯の信号とに共振する関係となり、これら８４０ＭＨｚ帯の信号と１９００ＭＨｚ帯の信号とを用いた通信を行う構成の例であるとして説明した。しかしながら、アンテナ２００と共振する関係となる２つの周波数帯の信号を用いた通信を行う構成であれば、アンテナ２００と共振する関係となる２つの周波数帯の信号は、必ずしも、８４０ＭＨｚ帯の信号と１９００ＭＨｚ帯の信号とである必要はない。一例として、アンテナ２００が８００ＭＨｚ帯の信号と１８００ＭＨｚ帯の信号とに共振する関係となり、これら８００ＭＨｚ帯の信号と１８００ＭＨｚ帯の信号とを用いた通信を行う構成の例が考えられる。この場合には、アンテナ２００の形状が、８００ＭＨｚ帯の信号と１８００ＭＨｚ帯の信号との双方に共振する関係となるように調整され、通信用ＬＳＩ５１０が、このように調整されたアンテナ２００を利用して、８００ＭＨｚ帯の信号と１８００ＭＨｚ帯の信号とを用いた通信を行う機能を有することとなる。
【００３９】
（３）実施の形態において、携帯端末１００は、アンテナ２００と共振する関係となる２つの周波数帯の信号を用いて外部の基地局と通信する構成の例であるとして説明した。しかしながら、アンテナ２００と共振する関係となる２つの周波数帯の信号を用いて外部の機器と通信する構成であれば、必ずしも、通信相手となる外部の機器が基地局である必要はない。一例として、携帯端末１００と同等の機能を有する他の携帯端末と通信する構成の例が考えられる。
【００４０】
（４）実施の形態において、携帯端末１００は、通信に利用する周波数帯が、アンテナ２００と共振する関係となる周波数帯のうち、基本波して共振する関係となる周波数帯と、３次高調波として共振する関係となる周波数帯とである構成の例であるとして説明した。しかしながら、アンテナ２００と共振する関係となる周波数帯であれば、必ずしも、基本波として共振する関係となる周波数帯と、３次高調波として共振する関係となる周波数帯とである必要はない。一例として、アンテナ２００と共振する関係となる周波数帯のうち、基本波となる周波数帯と、５次高調波として共振する関係となる周波数帯である構成の例が考えられる。また、他の一例として、５次高調波として共振する関係となる周波数帯と、７次高調波として共振する関係となる周波数帯である構成の例が考えられる。
【００４１】
（５）実施の形態において、携帯端末１００は、アンテナ２００が、図３に示される形状である構成の例であるとして説明した。しかしながら、通信に利用されるアンテナが、一端の近傍に給電点が配され、一端と他端との間に、互いに近接して平行な第１領域と第２領域とを有している形状であって、第１領域と第２領域との間に静電容量が生じることで、基本波として共振する関係となる基本共振周波数帯の周波数のｎ倍よりも低い周波数の周波数帯に対して、ｎ次高調波として共振する関係となる形状であれば、必ずしも、図３に示される通りの形状である必要はない。一例として、通信に利用されるアンテナが、図８に示されるアンテナ８００である構成の例が考えられる。
【００４２】
（６）実施の形態において、携帯端末１００は、アンテナ２００が、互いに近接して平行な第１領域３２０と第２領域３３０とを有している形状であって、第１領域３２０と第２領域３３０との間に静電容量が生じることで、基本波として共振する関係となる基本共振周波数帯の周波数のｎ倍よりも低い周波数の周波数帯に対して、ｎ次高調波として共振する関係となる形状である構成の例であるとして説明した。しかしながら、第１領域３２０と第２領域３３０とが互いに近接している形状であって、第１領域３２０と第２領域３３０との間に静電容量が生じることで、基本波として共振する関係となる基本共振周波数帯の周波数のｎ倍よりも低い周波数の周波数帯に対して、ｎ次高調波として共振する関係となる形状であれば、必ずしも、第１領域３２０と第２領域とが平行である必要はない。
【００４３】
（７）実施の形態において、携帯端末１００は、アンテナ２００が、マイク孔側側面に配置されている構成の例であるとして説明した。しかしながら、携帯端末１００を構成する他の電子部品、金属部品等と干渉する位置に配置されていなければ、必ずしも、アンテナ２００が、マイク孔側側面に配置されている必要はない。一例として、アンテナ２００が、筐体１１０の内面のうちの、マイク孔側側面に対向する面に配置されている構成の例が考えられる。
【００４４】
（８）実施の形態において、携帯端末１００は、配線７２０とアンテナ２００の給電点３１０とが、コンタクトピン７１０を介して接続される構成の例であった。しかしながら、配線７２０とアンテナ２００とが接続されていれば、必ずしも、コンタクトピン７１０を介して接続される必要はない。一例として、先端がバネとして可動する導電性部品であるポゴピンを介して接続される構成の例が考えられる。この場合には、ポゴピンの終端が配線７２０にはんだ付けされ、ポゴピンの先端がアンテナ２００の給電点３１０に接触することとなる。
【００４５】
（９）実施の形態において、携帯端末１００は、いわゆるスマートフォンである構成の例であった。しかしながら、携帯端末１００は、アンテナ２００と共振する関係となる２つの周波数帯の信号を用いて外部の機器と通信する機能を有する携帯電子機器であれば、必ずしも、いわゆるスマートフォンである必要はない。一例として、アンテナ２００と共振する関係となる２つの周波数帯の信号を用いて外部の機器と通信する機能を有する、タブレット型パソコン、ＰＤＡ（Personal Digital Assistant：携帯情報端末）、折り畳み式携帯電話機等である例が考えられる。
【００４６】
（１０）上記実施の形態及び上記変形例を適宜組み合わせるとしてもよい。
【産業上の利用可能性】
【００４７】
本発明に係る携帯電子機器は、複数の周波数帯の信号を利用して外部機器と通信する機器に広く利用することができる。
【符号の説明】
【００４８】
１００  携帯端末
２００  アンテナ
３１０  給電点
３２０  第１領域
３３０  第２領域
５００  ＣＰＵ
５１０  通信用ＬＳＩ
５２０  タッチパネルコントローラ
５３０  タッチパネル
５６０  メモリ
【図１】
2015162740.tif 000003
【図２】
2015162740.tif 000004
【図３】
2015162740.tif 000005
【図４】
2015162740.tif 000006
【図５】
2015162740.tif 000007
【図６】
2015162740.tif 000008
【図７】
2015162740.tif 000009
【図８】
2015162740.tif 000010
【図９】
2015162740.tif 000011